(57)【要約】【課題】組付形態を変更可能であり、照明装置の切換の安定性が高い照明機能付ラチェット工具を提供する。【解決手段】ハンドル４は、内部が前収容台と後収容台とに分けられ、外面に前連接段４４と後連接段４５とが設けられている。ランプ台５は、前収容台に収容され、回路板５１とランプ５２と押さえポイント５３とを含む。光透過可能マスク５４は、ハンドル４の先端に設けられている。ドライバーロッド５５は、光透過可能マスク５４の先端に設けられ、光透過可能マスク５４との間にラチェット装置５５１が設けられている。前締付カバー５６は、前連接段４４と結合している。電池部６は、後収容台に収容され、先端にばね６１が設けられている。起動部７は、スイッチ７１と後締付カバー７２とを有し、スイッチ７１と後締付カバー７２との間に離接機構７３が設けられている。【選択図】図１
0003139124.tif 000002
【実用新案登録請求の範囲】
【請求項１】
ハンドルと、ランプ台と、光透過可能マスクと、ドライバーロッドと、前締付カバーと、電池部と、起動部とを含む照明機能付ラチェット工具において、
前記ハンドルは、中空であり、内部が前収容台と後収容台とに分けられ、外面に前連接段と後連接段とが設けられ、
前記ランプ台は、前記ハンドルの前収容台に収容され、回路板と、前記回路板に連接されているランプと、前記回路板の前記ランプから遠ざかった一端に設けられている一つ以上の押さえポイントとを含み、
前記光透過可能マスクは、前記ハンドルの先端に設けられ、
前記ドライバーロッドは、前記光透過可能マスクの先端に設けられ、前記光透過可能マスクとの間にラチェット装置が設けられ、
前記前締付カバーは、前記ランプ台と前記光透過可能マスクとを規制するために、前記前連接段と結合し、
前記電池部は、前記ハンドルの後収容台に収容され、先端にばねが設けられ、前記ばねの両側には電池の正負極とそれぞれ連結するための接点が設けられ、
前記起動部は、スイッチと、後締付カバーとを有し、前記スイッチの先端が前記電池部の後端に押し付けられており、前記スイッチの後端が前記ハンドルの後端に連接されている後締付カバーを挿通して外部に突出可能であり、前記スイッチと前記後締付カバーとの間に離接機構が設けられていることを特徴とする照明機能付ラチェット工具。
【請求項２】
前記前締付カバーの前縁の内側に係りブロックが複数環設され、前記各係りブロックに対応して前記光透過可能マスクに係止溝が複数設けられていることを特徴とする請求項１に記載の照明機能付ラチェット工具。
【請求項３】
前記離接機構は、ツマミの周面に環設されている複数の突起と、前記後締付カバーの内側に設けられている複数の溝と、前記各溝の間の押付平面とから構成されることを特徴とする請求項１に記載の照明機能付ラチェット工具。
【請求項４】
前記スイッチは、階段形状を呈するツマミであることを特徴とする請求項１に記載の照明機能付ラチェット工具。
【請求項５】
前記スイッチは、ボタンであることを特徴とする請求項１に記載の照明機能付ラチェット工具。
【請求項６】
前記光透過可能マスクと前記回路板との間には反射鏡が設けられていることを特徴とする請求項１に記載の照明機能付ラチェット工具。
【考案の詳細な説明】
【技術分野】
【０００１】
本考案は、照明機能付ラチェット工具に関し、特に、ハンドルの先端に照明機能を持つラチェット装置を組付可能であり、単純に照明工具として使用可能であり、且つ照明装置の切換の安定性が高い照明機能付ラチェット工具に関するものである。
【背景技術】
【０００２】
従来の照明機能付ラチェット工具は、図６に示すように、手工具１０のハンドル１１の先端にドライバーロッド１２とランプ１３とがそれぞれ設けてあり、ハンドル１１の内部に電池が設けられ、且つハンドル１１の後端にある押圧スイッチ１４にてランプ１３のオン又はオフを制御する。これにより、手工具１０は照明機能を有し、使用が便利である。しかし、従来の手工具１０は、ドライバーロッド１２がハンドル１１の先端に固定され、且つラチェット装置が設けられていないので、組付形態を変更することができず、そして、単純に照明工具として使用することもできない。
【０００３】
図７に示すように、別の従来の照明機能付ラチェット工具は、手工具２０のハンドル２１の先端に透明な樹脂で作製された工具台２２が接合してあり、工具台２２の先端にドライバーロッド２３が設けてある。また、ハンドル２１の内部には押圧スイッチ３１を持つ照明装置３０が組付けてあり、照明装置３０が後締付カバー２４に規制されている。照明装置３０の押圧スイッチ３１を押圧すると、照明装置３０がオンになり、光線が透明な工具台２２を透過して外部に射出する。しかし、このような手工具２０は照明機能を有するが、ハンドル２１にはラチェット装置を組付けて使用することができないので、上記のものと同じように、組付形態を変更することができず、そして、単純に照明工具として使用することもできないという問題がある。
【考案の開示】
【考案が解決しようとする課題】
【０００４】
本考案の主な目的は、組付形態を変更可能であり、単純に照明工具として使用可能であり、且つ照明装置の切換の安定性が高い照明機能付ラチェット工具を提供することにある。
【課題を解決するための手段】
【０００５】
上記目的を達成するためになされた本考案は、ハンドルと、ランプ台と、光透過可能マスクと、ドライバーロッドと、前締付カバーと、電池部と、起動部とを含む照明機能付ラチェット工具である。
ハンドルは、中空であり、その内部が前収容台と後収容台とに分けられ、その外面に前連接段と後連接段とが設けてある。
【０００６】
ランプ台は、ハンドルの前収容台に収容され、回路板と、回路板に連接されたランプと、回路板のランプから遠ざかった一端に設けられる一つ以上の押さえポイントとを含む。
光透過可能マスクは、ハンドルの先端に設けられている。
ドライバーロッドは、光透過可能マスクの先端に設けられ、光透過可能マスクとの間にラチェット装置が設けてある。
前締付カバーは、ランプ台と光透過可能マスクとを規制するために、前連接段と結合している。
【０００７】
電池部は、ハンドルの後収容台に収容され、その先端にばねが設けられ、ばねの両側には電池の正負極とそれぞれ連結するための接点が設けてある。
起動部は、スイッチと、後締付カバーとを有し、スイッチの先端が電池部の後端に押し付けられており、スイッチの後端がハンドルの後端に連接された後締付カバーを挿通して外部に突出可能であり、スイッチと後締付カバーとの間に離接機構が設けてある。
【考案の効果】
【０００８】
本考案の照明機能付ラチェット工具によれば、ハンドルの先端に照明機能を持つラチェット装置を組付可能であり、単純に照明工具として使用可能であり、且つ照明装置の切換の安定性が向上する。
【考案を実施するための最良の形態】
【０００９】
以下、図面を参照して、本考案の好適な実施の形態を詳細に説明する。
（第１実施形態）
本考案の第１実施形態による照明機能付ラチェット工具を図１から４に示す。図１及び図２に示すように、本考案の第一実施形態による照明機能付ラチェット工具は、ハンドル４と、ランプ台５と、光透過可能マスク５４と、ドライバーロッド５５と、前締付カバー５６と、電池部６と、起動部７とを含む。
ハンドル４は、中空であり、小径段４１により内部が前収容台４２と後収容台４３とに分けられ、その外面に前連接段４４と後連接段４５とが設けてある。
【００１０】
ランプ台５は、ハンドル４の小径段４１に収容され、回路板５１と、回路板５１に連接されたランプ５２と、回路板５１のランプ５２から遠ざかった一端に設けられる一つ以上の押さえポイント５３とを含む。
光透過可能マスク５４は、回路板５１との間にランプ５２からの光線を集中して光透過可能マスク５４を透過して外部に射出するための反射鏡５４２が設けてあり、複数の係止溝５４１が環設してある。
【００１１】
ドライバーロッド５５は、光透過可能マスク５４の先端に設けられ、光透過可能マスク５４との間にラチェット装置５５１が設けてある。
前締付カバー５６は、光透過可能マスク５４の各係止溝５４１に応じて係りブロック５６１がそれぞれ設けてあり、ランプ台５と光透過可能マスク５４とを規制するために、前締付カバー５６が前連接段４４と結合する。
【００１２】
電池部６は、ハンドル４の後収容台４２に収容され、その先端にばね６１設けられ、ばね６１の両側には電池の正負極とそれぞれ連結するための接点６２が設けてある。
起動部７は、スイッチ７１と、後締付カバー７２とを有し、スイッチ７１は階段形状を呈するツマミであり、その先端が電池部６の後端を押し付けており、スイッチ７１の後端がハンドル４の後端に連接された後締付カバー７２を挿通して外部に突出可能である。スイッチ７１と前記後締付カバー７２との間には、離接機構７３が設けられている。本実施形態では、離接機構７３は、ツマミの周面に環設された複数の突起７１１と、後締付カバー７２の内側に設けられた複数の溝７２１と、各溝７２１の間の押付平面７２２とから構成される。
【００１３】
本実施形態の照明装置をオンにしようとする場合には、図３に示すように、ハンドル４の後端にある起動部７のスイッチ７１を旋回する。これにより、後締付カバー７２の内側の溝７２１内に設けられた各突起７１１が後締付カバー７２の押付平面７２２まで移動される。このとき、スイッチ７１が後締付カバー７２から離脱可能になり、後締付カバー７２から離脱するスイッチ７１が電池部６を前へ移動して、電池部６がばね６１に押し付けられ、電池部６の先端にある二つの接点６２が回路板５１にある二つの押さえポイント５３にそれぞれ押し付けられる。その結果、電池部６とランプ台５の回路板５１及びランプ５２とが安定した連通状態となり、照明効果を確保可能である。
【００１４】
逆に、本実施形態の照明装置をオフにしようとする場合には、図４に示すように、ハンドル４の後端にある起動組７のスイッチ７１を更に旋回する。これにより、各突起７１１が後締付カバー７２の内側の底部にある押付平面７２２から各溝７２１内に移動される。このとき、スイッチ７１が後締付カバー７２に当接する状態になり、電池部６の先端にあるばね６１の弾力により電池部６が後ろへ押されて移動するようになり、電池部６の先端にある二つの接点６２が回路板５１にある二つの押さえポイント５３から離脱する。その結果、電池部６とランプ台５の回路板５１及びランプ５２との回路が切断され、照明が中止される。
【００１５】
（第２実施形態）
次に、図５を参照して、本考案の第２実施形態を詳細に説明する。本考案の第２実施形態による照明機能付ラチェット工具は、スイッチがボタン７１Ａであり、後締付カバー７２Ａから突出しているボタン７１Ａを押圧すると、電池部６Ａが前へ押されて、電池部６Ａの先端にあるばね６１Ａが圧縮されて、電池部６Ａの先端にある二つの接点６２Ａが回路板５１Ａにある二つの押さえポイント５３Ａにそれぞれ押し付けられるようになる。これにより、電池部６Ａとランプ台５Ａの回路板５１Ａ及びランプ５２Ａとが安定した連通状態となり、照明効果を確保可能である。一方、ユーザの指がボタン７１Ａから離れると、電池部６Ａの先端にあるばね６１Ａの弾力により、電池部６Ａが後ろへ移動し、電池部６Ａの先端にある二つの接点６２Ａが回路板５１Ａにある二つの押さえポイント５３Ａから離脱する。これにより、電池部６Ａとランプ台５Ａの回路板５１Ａ及びランプ５２Ａとの回路が切断され、照明が中止される。
上記では、種々の実施の形態を説明したが、本考案はこれらの内容に限定されるものではない。本考案の技術的思想の範囲内で考えられるその他の態様も本考案の範囲内に含まれる。
【図面の簡単な説明】
【００１６】
【図１】本考案の第１実施形態による照明機能付ラチェット工具を示す分解斜視図である。
【図２】本考案の第１実施形態による照明機能付ラチェット工具を示す斜視図である。
【図３】本考案の第１実施形態による照明機能付ラチェット工具の照明機能がオンされた状態を示す概略図である。
【図４】本考案の第１実施形態よる照明機能付ラチェット工具の照明機能がオフされた状態を示す概略図である。
【図５】本考案の第２実施形態による照明機能付ラチェット工具を示す概略図である。
【図６】従来の照明機能付ラチェット工具の斜視図である。
【図７】別の従来の照明機能付ラチェット工具の概略図である。
【符号の説明】
【００１７】
４：ハンドル、５、５Ａ：ランプ台、６、６Ａ：電池部、７：起動部、４１：小径段、４２：前収容台、４３：後収容台、４４：前連接段、４５：後連接段、５１、５１Ａ：回路板、５２、５２Ａ：ランプ、５３、５３Ａ：押さえポイント、５４：光透過可能マスク、５５：ドライバーロッド、５６：前締付カバー、６１、６１Ａ：ばね、６２、６２Ａ：接点、７１、７１Ａ：スイッチ、７２、７２Ａ：後締付カバー、７３：離接機構、５４１：係止溝、５４２：反射鏡、５５１：ラチェット装置、５６１：係りブロック、７１１：突起、７２１：溝、７２２：押付平面
【図１】
0003139124.tif 000003
【図２】
0003139124.tif 000004
【図３】
0003139124.tif 000005
【図４】
0003139124.tif 000006
【図５】
0003139124.tif 000007
【図６】
0003139124.tif 000008
【図７】
0003139124.tif 000009